Podtech/llm-jp-corpus-v4-ja_patent huggingface dataset:
【手続補正書】
【提出日】平成18年6月8日(2006.6.8)
【手続補正１】
【補正対象書類名】明細書
【補正対象項目名】特許請求の範囲
【補正方法】変更
【補正の内容】
【特許請求の範囲】
【請求項１】  少なくとも１つの親水性基が他の原子団を介してカーボンブラック表面に結合している自己分散型カーボンブラック、水性媒体及び有機けい素化合物を含み、該有機けい素化合物がシリコン系界面活性剤であることを特徴とする顔料インク。
【請求項２】  該原子団が、炭素原子数１〜１２の直鎖状もしくは分岐鎖状のアルキレン基、置換若しくは未置換のフェニレン基、又は置換若しくは未置換のナフチレン基である請求項１記載の顔料インク。
【請求項３】  該親水性基が、下記式で示す基から選ばれる少なくとも一つである請求項１又は２記載の顔料インク。
−ＣＯＯＭ、−ＳＯ３Ｍ、−ＰＯ３ＨＭ、−ＰＯ３Ｍ２、
【外１】
2000080315.tif 000001
（但し、式中のＭは水素原子、アルカリ金属、アンモニウム又は有機アンモニウムを表わし、Ｒは炭素原子数１〜１２のアルキル基、置換若しくは未置換のフェニル基、又は置換若しくは未置換のナフチル基を表わす。）
【請求項４】  該インク中のシリコンの濃度が０．２〜１００ｐｐｍである請求項１〜３の何れか１項に記載の顔料インク。
【請求項５】  顔料インクにエネルギーを与え、オリフィスから該顔料インクを記録媒体に向けて吐出させる工程を有するインクジェット記録方法であって、顔料インクが、少なくとも１つの親水性基が他の原子団を介してカーボンブラック表面に結合している自己分散型カーボンブラック、水性媒体及び有機けい素化合物を含み、該有機けい素化合物がシリコン系界面活性剤であることを特徴とするインクジェット記録方法。
【請求項６】  該原子団が、炭素原子数１〜１２の直鎖状もしくは分岐鎖状のアルキレン基、置換若しくは未置換のフェニレン基、又は置換若しくは未置換のナフチレン基である請求項５記載のインクジェット記録方法。
【請求項７】  該親水性基が、下記式で示す基から選ばれる少なくとも一つである請求項５又は６記載のインクジェット記録方法。
−ＣＯＯＭ、−ＳＯ３Ｍ、−ＰＯ３ＨＭ、−ＰＯ３Ｍ２、
【外２】
2000080315.tif 000002
（但し、式中のＭは水素原子、アルカリ金属、アンモニウム又は有機アンモニウムを表わし、Ｒは炭素原子数１〜１２のアルキル基、置換若しくは未置換のフェニル基、又は置換若しくは未置換のナフチル基を表わす。）
【請求項８】  該インク中のシリコンの濃度が０．２〜１００ｐｐｍである請求項５〜７の何れか１項に記載のインクジェット記録方法。
【請求項９】  該エネルギーが熱エネルギーである請求項４〜８のいずれか１項に記載のインクジェット記録方法。
【請求項１０】  インクを収容したインク収容部、及び該インクを吐出させるためのヘッド部を備えた記録ユニットにおいて、該インクが請求項１〜４のいずれか１項に記載の顔料インクであることを特徴とする記録ユニット。
【請求項１１】  インクを収容したインク収容部を備えたインクカートリッジにおいて、該インクが請求項１〜４のいずれか１項に記載の顔料インクであることを特徴とするインクカートリッジ。
【請求項１２】  該インクにエネルギーを印加することによってオリフィスから該インクを吐出せしめる為の記録ヘッドに対して該インクを供給する為の手段を備えている請求項１１記載のインクカートリッジ。
【請求項１３】  請求項１〜４のいずれか１項に記載の顔料インクを収容したインク収容部と、該インクにエネルギーを印加してオリフィスから吐出させるための記録ヘッドとを有する記録ユニットを備えていることを特徴とするインクジェット記録装置。
【請求項１４】  請求項１〜４のいずれか１項に記載の顔料インクを収容したインク収容部を備えたインクカートリッジと、該顔料インクにエネルギーを印加することによってオリフィスから吐出させるための記録ヘッドとを備えていることを特徴とするインクジェット記録装置。
【請求項１５】  該エネルギーが熱エネルギーである請求項１３又は１４記載のインクジェット記録装置。
【手続補正２】
【補正対象書類名】明細書
【補正対象項目名】００１０
【補正方法】変更
【補正の内容】
【００１０】
【課題を解決するための手段】
上記の目的を達成することのできる顔料インクの一実施態様は、少なくとも１つの親水基が他の原子団を介してカーボンブラック表面に結合している自己分散型カーボンブラック、水性媒体及び有機けい素化合物を含み、該有機けい素化合物がシリコン系界面活性剤であることを特徴とするものである。
【手続補正３】
【補正対象書類名】明細書
【補正対象項目名】００１１
【補正方法】変更
【補正の内容】
【００１１】
また上記の目的を達成することのできるインクジェット記録方法の一実施態様は、上記顔料インクにエネルギーを与え、オリフィスから該顔料インクを記録媒体に向けて吐出させる工程を有することを特徴とするものである。
【手続補正４】
【補正対象書類名】明細書
【補正対象項目名】００１２
【補正方法】変更
【補正の内容】
【００１２】
また上記の目的を達成することのできる記録ユニットの一実施態様は、例えば、上記インクを収容したインク収容部、及び該インクを吐出させるためのヘッド部を備えていることを特徴とするものである。
【手続補正５】
【補正対象書類名】明細書
【補正対象項目名】００１３
【補正方法】変更
【補正の内容】
【００１３】
また上記の目的を達成することのできるインクカートリッジの一実施態様は、例えば、上記顔料インクを収容したインク収容部を備えていることを特徴とする。
【手続補正６】
【補正対象書類名】明細書
【補正対象項目名】００１４
【補正方法】変更
【補正の内容】
【００１４】
また上記の目的を達成することのできるインクジェット記録装置の一実施態様は、例えば、上記顔料インクを収容したインク収容部と、該インクにエネルギーを印加してオリフィスから吐出させるための記録ヘッドとを有する記録ユニットを備えていることを特徴とするものである。
【手続補正７】
【補正対象書類名】明細書
【補正対象項目名】００１５
【補正方法】変更
【補正の内容】
【００１５】
また上記の目的を達成することのできるインクジェット記録装置の一実施態様は、例えば、上記顔料インクを収容したインク収容部を備えたインクカートリッジと、該顔料インクにエネルギーを印加することによってオリフィスから吐出させるための記録ヘッドとを備えていることを特徴とするものである。
【手続補正８】
【補正対象書類名】明細書
【補正対象項目名】００１６
【補正方法】削除
【補正の内容】
【手続補正書】
【提出日】平成18年8月8日(2006.8.8)
【手続補正１】
【補正対象書類名】明細書
【補正対象項目名】特許請求の範囲
【補正方法】変更
【補正の内容】
【特許請求の範囲】
【請求項１】
Ａ）ＡＩ）ポリエステル樹脂の重量を基にして１０〜６０重量％の１種以上の炭素原子数８〜３０の脂肪族飽和又は不飽和モノカルボン酸と、ポリエステル樹脂の重量を基にして０．４〜５重量％の１種以上の炭素原子数３〜８のラジカル重合性α，β−不飽和モノもしくはジカルボン酸又はその無水物を含み、ポリオール成分Ａ）の樹脂固形分を基にして２０〜６０重量％のポリエステル樹脂と、
ＡＩＩ）成分ＡＩ）の存在下で製造され、ポリオール成分Ａ）の樹脂固形分を基にして４０〜８０重量％のポリアクリレート
を含むポリオール成分と、
Ｂ）水性分散液の樹脂固形分を基にして１〜７０重量％の１種以上のブロックトポリイソシアネート
を含み、自動車の連続ラッカー塗りで光安定弾性迅速物理乾燥性塗膜を形成する水性分散液を支持体に塗布し、分散液を物理的に硬化させ、塗膜を形成することを特徴とする塗装支持体の作製方法。
【請求項２】  ポリエステル成分ＡＩ）が５００〜６０００の数平均分子量と、＜１２ｍｇＫＯＨ／ｇの酸価と、５０〜２５０ｍｇＫＯＨ／ｇのＯＨ価をもち、
ＡＩ1) １種以上の炭素原子数８〜３０の脂肪族飽和又は不飽和モノカルボン酸１０〜６０％と、
ＡＩ2) １種以上の炭素原子数３〜８のα，β−不飽和モノもしくはジカルボン酸又はその無水物０．４〜５％と、
ＡＩ3) １種以上の炭素原子数２〜２０の脂肪族、脂環式もしくは芳香族ジ、トリもしくはテトラカルボン酸又はその無水物２０〜６０％と、
ＡＩ4) １分子当たり１〜４個のＯＨ基をもつ１種以上の脂肪族アルコール１０〜６０％と、
ＡＩ5) １種以上の芳香族モノカルボン酸０〜１０％と、
ＡＩ6) １分子当たり１〜４個の反応性基をもつ１種以上の他のＣＯＯＨ又はＯＨ反応性化合物０〜１０％
から製造され、成分ＡＩ1)〜ＡＩ6)の百分率が重量百分率であり、合計で１００である請求項１に記載の方法。
【請求項３】  ポリアクリレート成分ＡＩＩ）がポリアクリレート成分ＡＩ）の存在下に、
ＡＩＩ1) 炭素原子数３〜１２のα，β−不飽和カルボン酸と炭素原子数１〜１８の脂肪族又は脂環式モノアルコールの１種以上の非官能性エステル２０〜７０％と、
ＡＩＩ2) １種以上の炭素原子数３〜１２のα，β−不飽和カルボン酸又はその無水物１〜１０％と、
ＡＩＩ3) １種以上のヒドロキシ官能性ラジカル重合性モノマー０〜９５％と、
ＡＩＩ4) ＡＩＩ1)〜ＡＩＩ3)以外の１種以上のラジカル重合性モノマー０〜４０％
の混合物のラジカル重合により製造され、成分ＡＩＩ1)〜ＡＩＩ4)の百分率が重量百分率であり、合計で１００である請求項１または２に記載の方法。
【請求項４】  ポリイソシアネート成分Ｂ）が親水性にされていない請求項１〜３のいずれかに記載の方法。
【請求項５】  ポリオール成分Ａ）がポリエステル成分ＡＩ）４０〜５５重量％とポリアクリレート成分ＡＩＩ）４５〜６０重量％を含む請求項１に記載の方法。
【請求項６】  ポリエステル成分ＡＩ）が１０００〜３０００の数平均分子量をもつ請求項５に記載の方法。
【請求項７】  ポリエステル成分ＡＩ）が炭素原子数８〜３０の前記モノカルボン酸３０〜５０％を含む請求項１に記載の方法。
【請求項８】  成分ＡＩ1)が１分子当たり２個未満のＣ＝Ｃ二重結合をもつ１種以上の炭素原子数１２〜２０の脂肪族モノカルボン酸８０〜１００重量％を含む請求項３に記載の方法。
【請求項９】  第１段階生成物が１０ｍｇＫＯＨ／ｇ未満の酸価をもち、第２段階生成物が２０ｍｇＫＯＨ／ｇを上回る酸価をもつようにモノマーを２段階で添加することによりポリアクリレート成分ＡＩＩ）を重合する請求項３に記載の方法。
【請求項１０】  水性分散液が１種以上の水分散性メラミン樹脂、親水性ブロックトポリイソシアネート、水希釈性ポリエステル又はポリエステル／ポリウレタン樹脂を更に含む請求項１に記載の方法。
【手続補正２】
【補正対象書類名】明細書
【補正対象項目名】００１４
【補正方法】変更
【補正の内容】
【００１４】
１態様では、成分ＡＩＩ1)〜ＡＩＩ4)を別々に添加し、全体又は一部を適当な温度で成分ＡＩ）及び場合により溶剤と混合し、重合開始剤の存在下で重合する。利用可能な重合開始剤は公知であり、ペルオキシド類（例えばジベンゾイルペルオキシド、ジ−ｔｅｒｔ−ブチルペルオキシド及びｔｅｒｔ−ブチルペル−２−エチルヘキサノエート）やアゾ開始剤（例えばアゾビスイソブチロニトリル及びアゾビスイソバレロニトリル）が挙げられる。調節剤の存在下で重合を実施してもよい。ラジカル移動によりポリマーの分子量を低下させる調節剤も公知であり、例えばｎ−ドデシルメルカプタンやメルカプト酢酸を利用できる。
特定の性質を得るために、１種以上のモノマーを他のモノマーよりも早く又は遅く添加してもよいし、重合開始を早く及び／又は重合終了を遅くしてもよい。
成分ＡＩＩ1)はシクロアルキル部分に１〜２０個の炭素原子をもつ（メタ）アクリル酸の任意共重合性（シクロ）アルキルエステル又はその混合物から選択される。アルキル部分に１〜１８個の炭素原子をもつアリキルアクリレート又はメタクリレートが好ましい。例えば、メチル、エチル、ｎ−プロピル、ｎ−ブチル、イソブチル、ｎ−ヘキシル、２−エチルヘキシル、ｎ−ステアリル及びｎ−ラウリルアクリレート及びメタクリレートや、シクロヘキシル（メタ）アクリレート及びノルボルニル（メタ）アクリレート等の脂環式（メタ）アクリル酸エステルが挙げられる。マレイン酸又はフマル酸のエステル（例えばマレイン酸及びフマル酸ジメチル又はジエチルエステル）も利用できる。
【手続補正３】
【補正対象書類名】明細書
【補正対象項目名】００１６
【補正方法】変更
【補正の内容】
【００１６】
他のラジカル重合性モノマーＡＩＩ4)の例としてはビニル芳香族化合物類（例えばスチレン及びα−メチルスチレン）、炭素原子数１〜２０のカルボン酸（例えばベラトルム酸、プロピオン酸及び酢酸）のビニルエステル類、ビニルエーテル類、ビニルピロリドン及び２個以上のラジカル重合性二重結合をもつ化合物（例えばブタンジオールジ（メタ）アクリレート、ヘキサンジオールジ（メタ）アクリレート、ジビニルベンゼン及びポリブタジエン）が挙げられる。
【手続補正書】
【提出日】平成18年8月9日(2006.8.9)
【手続補正１】
【補正対象書類名】明細書
【補正対象項目名】特許請求の範囲
【補正方法】変更
【補正の内容】
【特許請求の範囲】
【請求項１】  コアと、炭素６０〜９５重量％及び窒素５〜２５重量％を有し、１００％までの残りが、水素、酸素及び硫黄よりなる群の元素から選択される化合物から実質的になる少なくとも１つの被覆層と、を含む複合小板状粒子の集合体。
【請求項２】  粒子が、コアと窒素ドープ炭素被覆との間に中間被覆を更に含む、請求項１記載の粒子集合体。
【請求項３】  請求項１記載の粒子集合体を製造するための方法であって、
（ａ）液体中に小板状粒子を懸濁させる工程；
（ｂ）場合により、表面改質剤、重合触媒又はその両方を添加する工程；
（ｃ）工程（ｂ）の前又は後に、窒素原子及び炭素原子を含む１種又は２種以上のポリマー、又は前記ポリマーに重合し得る１種又は２種以上のモノマーを添加する工程；
（ｄ）工程（ｃ）で添加された、ポリマー又はモノマーから該小板状粒子の表面上に高分子被覆層を形成させる工程；
（ｅ）懸濁液から、該高分子被覆層を有する該小板状粒子を単離する工程；及び
（ｆ）気体環境において、該高分子被覆層を有する該小板状粒子を１００℃〜１，０００℃の温度に加熱する工程；
を含むことを特徴とする方法。
【請求項４】  グラフト重合により表面を被覆するための方法であって、
グラフト重合の前に、該表面を、下記式：
【化１】
2000080303.tif 000001
（式中、
Ｒ1は、水素又は基Ｒ4であり、
Ｒ2及びＲ3は、それぞれ独立に、基Ｒ4であり、そして
Ｒ4は、〔−１，２−Ｃ2〜Ｃ3アルキレン−Ｔ−〕n−Ｈ（ここで、Ｔは、Ｏ又はＮＨであり、そしてｎは、１〜３の数である）である）で示されるアミンの存在下に、下記式：
【化２】
2000080303.tif 000002
（上記式中、
Ｒ5〜Ｒ7は、それぞれＣ1〜Ｃ4アルキルである）で示される官能基のいずれかを有する化合物により改質することを特徴とする方法。
【請求項５】  請求項１記載の顔料の有効着色量及び高分子量有機材料を含む材料組成物。
【請求項６】  請求項１記載の効果顔料の有効着色量又は請求項５記載の効果顔料組成物を、該高分子量有機材料に組み込むことによる高分子量有機材料を着色する方法。
【手続補正書】
【提出日】平成18年7月19日(2006.7.19)
【手続補正１】
【補正対象書類名】特許請求の範囲
【補正対象項目名】全文
【補正方法】変更
【補正の内容】
【特許請求の範囲】
【請求項１】
個人の認証に用いられる端末装置において、
ＩＣカードに情報を書き込む書込手段と生体情報を取得する取得手段とが一体となった生体認証装置を有し、
前記生体認証装置は、前記端末装置と別体に構成し且つ取得した生体情報を前記書込手段によって前記ＩＣカードに登録することを特徴とする端末装置。
【請求項２】
請求項１記載の端末装置において、
暗号鍵を記憶する記憶手段を有し、
前記生体認証装置は、生体情報を認証する認証プログラムを暗号化して記憶する記憶部と、前記記憶手段から前記暗号鍵を読み出し、当該暗号鍵によって暗号化された前記認証プログラムを復号する復号部とを有することを特徴とする端末装置。
【請求項３】
請求項２記載の端末装置において、
前記復号部によって復号された前記認証プログラムによって、前記取得手段による生体情報の抽出を制御することを特徴とする端末装置。
【請求項４】
請求項１記載の端末装置において、
暗号鍵を記憶する記憶手段を有し、
前記生体認証装置は、前記取得手段によって取得した生体情報を記憶する記憶部と、前記記憶手段から前記暗号鍵を読み出し、前記記憶部の生体情報を暗号化して前記書込手段によって前記ＩＣカードに書き込むことを特徴とする端末装置。
【請求項５】
請求項４記載の端末装置において、
前記生体認証装置は、前記暗号化した生体情報をＩＣカードに書き込み、前記記憶部の生体情報を削除する削除部を有することを特徴とする端末装置。
【請求項６】
請求項１記載の端末装置において、
前記生体認証装置は、前記取得手段を制御する暗号化された暗号化認証プログラムを記憶する不揮発性記憶部と、前記暗号化認証プログラムを暗号鍵によって復号化した認証プログラムを記憶する揮発性記憶部とを有し、
前記揮発性記憶部の前記認証プログラムによって前記取得手段によって生体情報を取得することを特徴とする端末装置。
【手続補正書】
【提出日】平成18年1月18日(2006.1.18)
【手続補正１】
【補正対象書類名】明細書
【補正対象項目名】発明の名称
【補正方法】変更
【補正の内容】
【発明の名称】縫い合わされたコンフォーマブルなベルト及びその製造方法
【手続補正２】
【補正対象書類名】明細書
【補正対象項目名】特許請求の範囲
【補正方法】変更
【補正の内容】
【特許請求の範囲】
【請求項１】  第１及び第２の対向する実質的に平面の表面,第１の端部,及び第２の端部を有する基体であって、当該基体の当該第１の端部と当該第２の端部が第１の縫い目を形成する基体、及び、
第１の端部と第２の端部を有するエラストマー層であって、当該エラストマー層が上記基体の上記第１の表面に隣接して接触し、当該エラストマー層の当該第１の端部が当該エラストマー層の第２の端部と噛み合わされて、第２の分離可能な実質的に平面の、インターロッキング・パズル・カット縫い目を形成するエラストマー層、
を備え、
上記エラストマー層の上記第１の端部及び上記第２の端部が、上記第１の端部及び上記第２の端部が機械的に、及び、分離可能に、一緒にロックされるように、互いにインターロックし、
上記エラストマー層の上記第１の端部と上記第２の端部の間の上記インターロッキング・パズル・カット縫い目が、摩擦噛み合わせによってのみ維持される、上記エラストマー層の上記第１の端部と上記第２の端部の間の、機械的に除去可能な接続を提供する、
縫い合わされたコンフォーマブルなベルト。
【請求項２】  第１と第２の対向する実質的に平面の表面，第１の端部，及び第２の端部を有する基体を提供し、
上記基体の上記第１の表面を、第１の端部と第２の端部を有するエラストマー層で被覆し、当該エラストマー層は、上記基板の上記第１の表面に隣接し、かつ、接触するものであり、
上記基体の上記第１の端部と上記第２の端部を配置して、第１の縫い目を形成し、そして、
上記エラストマー層の上記第１の端部を、上記エラストマー層の上記第２の端部と噛み合わされるように配置して、第２の分離可能な実質的に平面の、インターロッキング・パズル・カット縫い目を形成し、上記エラストマー層の上記第１の端部及び上記第２の端部が、上記第１の端部及び上記第２の端部が、機械的に、及び、分離可能に、互いにロックされるように、互いにインターロックされるものである、
ステップを含み、
上記エラストマー層の上記第１の端部と上記第２の端部の間の上記インターロッキング・パズル・カット縫い目が、摩擦噛み合わせによってのみ維持される、上記エラストマー層の上記第１の端部と上記第２の端部の間の、機械的に除去可能な接続を提供する、
縫い合わされた、コンフォーマブルなベルトを形成するための方法。
【手続補正書】
【提出日】平成18年2月23日(2006.2.23)
【手続補正１】
【補正対象書類名】明細書
【補正対象項目名】特許請求の範囲
【補正方法】変更
【補正の内容】
【特許請求の範囲】
【請求項１】 ガスタービンエンジン（１０）用の連接式ファン（１２）の前方フレームを組立てるための方法であって、前縁（７６）及び後縁（７８）において接合された１対の側壁（７４）を含むストラット（６０）を形成する段階と、前縁（８２）及び後縁（８４）において接合された第１側壁（１１２）と第２側壁（１１４）とを含みかつ根元末端壁（８６）と先端末端壁（８８）との間で半径方向スパンにわたって延びており、各末端壁が前記第１及び第２側壁の間で延び、前記根元末端壁（８６）及び前記先端末端壁（８８）の少なくとも１つが、半径方向に輪郭付けされて前記前縁及び後縁の間で延びているフラップ（６２）を形成する段階と、前記フラップと前記ストラットとの間にギャップ（１２０）が形成されるように、前記ストラットの下流に前記フラップを枢動自在に結合する段階と、を含むことを特徴とする方法。
【請求項２】 ストラット（６０）を形成する前記段階が、対称ストラットを形成する段階を更に含むことを特徴とする、請求項１に記載の方法。
【請求項３】 前記エンジン（１０）が外側ケーシングと中央ハブ（４４）とを含み、前記ストラット（６０）及び前記フラップ（６２）が前記外側ケーシングと前記中央ハブとの間で延びるように構成されており、フラップを形成する前記段階が、前記フラップ先端末端壁に沿った輪郭が前記エンジン外側ケーシングの輪郭と実質的に鏡像になるように、該フラップ先端末端壁（８８）を半径方向に輪郭付けする段階を更に含むことを特徴とする、請求項１に記載の方法。
【請求項４】 フラップ（６２）を形成する前記段階が、前記フラップの負圧側面が、エンジンが設計外作動状態にある間に前方に面した段部（１４０）を形成し、該前方に面した段部（１４０）が、前記フラップの正圧側面から前記フラップ負圧側面への空気流のクロスフローを減少させるのを促進するように構成されるように、該フラップを形成する段階を更に含むことを特徴とする、請求項１に記載の方法。
【請求項５】 ガスタービンエンジン（１０）用のファンの前方フレームアセンブリ（１２）であって、ストラット（６０）と該ストラットの下流のフラップ（６２）とを備える少なくとも１つの連接式入口案内羽根サブアセンブリ（４２）を含み、前記ストラット及び前記フラップの少なくとも１つが、エンジン作動中に位置を変えることが可能であり、前記フラップが、前縁（８２）及び後縁（８４）において接合された第１側壁（１１２）と第２側壁（１１４）とを含みかつ根元末端壁（８６）と先端末端壁（８８）との間で半径方向スパンにわたって延びており、前記末端壁の各々が前記第１及び第２側壁の間で延び、前記根元末端壁（８６）及び前記先端末端壁（８８）の少なくとも１つが、前記前縁及び後縁の間で半径方向に弓形になっていることを特徴とするファンの前方フレームアセンブリ（１２）。
【請求項６】 前記ストラット（６０）が対称形であることを特徴とする、請求項５に記載のファンの前方フレームアセンブリ（１２）。
【請求項７】 前記フラップ（６２）が、前記入口案内羽根サブアセンブリ（４２）内に枢動自在に結合され、エンジン作動中に可動であることを特徴とする、請求項５又は６に記載のファンの前方フレームアセンブリ（１２）。
【請求項８】 設計作動状態と設計外作動状態との間で作動可能なガスタービンエンジン（１０）であって、該エンジン内に入る空気流を下流側へ流すように構成された少なくとも１つの連接式入口案内羽根サブアセンブリ（４２）を備えるファンの前方フレームアセンブリ(１２)を含み、前記入口案内羽根サブアセンブリが、ストラット（６０）と該ストラットの下流のフラップ（６２）とを含み、該フラップが、前縁（８２）及び後縁（８４）において接合された１対の側壁（８０）を含みかつ先端末端壁（８８）と根元末端壁（８６）との間で半径方向に延びており、前記先端末端壁及び前記根元末端壁の少なくとも１つが、前記１対の側壁の間で延びかつ前記フラップ前縁及び後縁の間で半径方向に輪郭付けされていることを特徴とするガスタービンエンジン（１０）。
【請求項９】 前記入口案内羽根サブアセンブリ（４２）のストラット（６０）が、前縁（７６）及び後縁（７８）において接合された正圧側面及び負圧側面と、該ストラットの前縁及び後縁の間で延びる対称軸（１１０）とを含むことを特徴とする、請求項８に記載のガスタービンエンジン（１０）。
【請求項１０】 前記入口案内羽根サブアセンブリ（４２）のフラップ（６２）の１対の側壁（８０）が、該フラップの正圧側面と負圧側面とを形成し、該フラップ負圧側面が、エンジン作動中に該フラップからの空気流のはく離を減少させるのを促進するように構成されていることを特徴とする、請求項９に記載のガスタービンエンジン（１０）。
【手続補正２】
【補正対象書類名】明細書
【補正対象項目名】０００４
【補正方法】変更
【補正の内容】
【０００４】
エンジンの作動効率及び作動安定性を最適化するのを促進するために、全てのエンジン作動条件において、入口案内羽根アセンブリ内及び該入口案内羽根アセンブリの直ぐ下流において、空気流は滑らかに移行することが重要である。しかしながら、少なくとも一部の公知の入口案内羽根アセンブリにおいては、フラップの或る回転配向が、フラップ下流の空気流内に乱流を発生させることがある。そのような乱流は、「フラッタ」として知られている非一体形ロータブレードの振動を発生させ、及び／又は入口案内羽根の直ぐ下流に置かれたファンのブレードに大きな翼形部応力を生じさせる可能性がある。より具体的には、入口案内羽根アセンブリを通って流れる空気は、フラップの正圧側面から該フラップの負圧側面へ流れる傾向がある。ストラットとフラップとの間の空気の流れは、入口案内羽根アセンブリの負圧側面から空気流をはく離させる可能性があり、このことによりファンブレードに入る空気流中に乱流が生じるおそれがある。フラッタを伴った状態でエンジンを連続作動させると、ファンブレードを損傷したり、その耐用寿命を短縮したり、あるいはエンジンの作動を制限するおそれがある。
【特許文献１】米国特許第６０４５３２５号
【手続補正書】
【提出日】平成18年2月9日(2006.2.9)
【手続補正１】
【補正対象書類名】明細書
【補正対象項目名】０００５
【補正方法】変更
【補正の内容】
【０００５】
多くの場合、従来技術のファンケーシングは、騒音を吸収する吸音パネルを設置する装備を有し、この吸音パネルは、例えばファンの流路に露出した多孔表面シートによって覆われたセル状（例えばハニカム）構造体を含むレゾネータ型吸音器である。これらの吸音パネルは、一般的にファンブレードの軸方向前方及び後方に設置され、一方、ファンブレードに軸方向に整合されたケーシングの部分はファンの流路境界を形成しかつ封じ込めシステムとして働くように設計されている。一部のエンジン設計、特に低圧圧縮機（又は「ブースタ」）を有していない設計においては、ファンセクションの構造的構成は、騒音抑制のためにこれらの従来型吸音パネルを設置するための極めて僅かな軸方向スペースしか提供できない。
【特許文献１】米国特許第６２９０４５５号
【手続補正書】
【提出日】平成18年8月30日(2006.8.30)
【手続補正１】
【補正対象書類名】明細書
【補正対象項目名】特許請求の範囲
【補正方法】変更
【補正の内容】
【特許請求の範囲】
【請求項１】  第１母音語句を入力する入力手段と、複数の語句を格納する格納手段と、複数の前記語句の各々を第２母音語句に変換する変換手段と、前記第２母音語句群の中で、前記第１母音語句に一致又は類似する第２母音語句を検索する検索手段と、該検索手段により検索された前記第２母音語句に対応する前記語句を前記格納手段に格納された語句の中から特定する特定手段と、該特定手段により特定された語句を出力する出力手段と、を備えることを特徴とする語句検索装置。
【請求項２】  前記出力手段により出力された語句の中から、所定の語句を選択する選択手段を更に備えることを特徴とする請求項１に記載の語句検索装置。
【請求項３】  前記格納手段が複数の前記語句が有する属性情報も格納する場合、前記出力手段は、前記特定手段により特定された語句に対応する属性情報も出力することを特徴とする請求項１又は２に記載の語句検索装置。
【請求項４】  前記入力手段は、母音キーを有し、「Ｎ」を除く子音キーを有さない、又は、あ行及び「ん」のかな入力キーを有し、他のかな入力キーを有さないことを特徴とする請求項１から３までのいずれか１項に記載の語句検索装置。
【請求項５】  第１母音語句を入力する入力ステップと、
複数の語句を格納する格納ステップと、
複数の前記語句の各々を第２母音語句に変換する変換ステップと、
前記第２母音語句群の中で、前記第１母音語句に一致又は類似する第２母音語句を検索する検索ステップと、
前記検索ステップで検索した前記第２母音語句に対応する前記語句を前記格納ステップで格納した語句の中から特定する特定ステップと、
前記特定ステップで特定した語句を出力する出力ステップと、を含むことを特徴とする語句検索方法。
【手続補正書】
【提出日】平成17年12月8日(2005.12.8)
【手続補正１】
【補正対象書類名】明細書
【補正対象項目名】発明の名称
【補正方法】変更
【補正の内容】
【発明の名称】情報端末装置
【手続補正２】
【補正対象書類名】明細書
【補正対象項目名】特許請求の範囲
【補正方法】変更
【補正の内容】
【特許請求の範囲】
【請求項１】  文字を入力する入力手段と、
この入力手段による文字の入力後にリピート指示を行うリピート指示手段と、
このリピート指示手段によるリピート指示があったとき、その直前に入力された文字と同じ文字を生成する文字生成手段と、
この文字生成手段によって生成された文字を上記直前に入力された文字に続けて出力する出力手段と
を具備したことを特徴とする情報端末装置。
【請求項２】  リピート回数を指示するリピート回数指示手段を有し、
上記文字生成手段は、上記リピート指示手段によるリピート指示があったとき、その直前に入力された文字と同じ文字を上記リピート回数指示手段によって指示されたリピート回数分だけ生成することを特徴とする請求項１記載の情報端末装置。
【請求項３】  文字を入力するための入力手段と、
この入力手段によって入力された文字を順次保持する文字列保持手段と、
かな漢字変換を指示する変換指示手段と、
この変換指示手段によってかな漢字変換が指示されたときに、上記文字列保持手段に保持された文字列の中で同一文字が連続する部分を削除し、その削除後の文字列を変換対象としてかな漢字変換する変換手段と、
この変換手段によって得られた文字列の中に上記削除された連続文字列を加えて変換結果として出力する変換結果出力手段と
を具備したことを特徴とする情報端末装置。
【請求項４】  上記変換手段は、上記文字列保持手段に保持された文字列の中で同一文字が連続する部分を一部のみ残して削除し、その削除後の文字列を変換対象としてかな漢字変換することを特徴とする請求項３記載の情報端末装置。
【請求項５】  文字を入力するための入力手段と、
この入力手段によって入力された文字を順次保持する文字列保持手段と、
上記入力手段による文字の入力後にリピート指示を行うリピート指示手段と、
このリピート指示手段によるリピート指示があったとき、その直前に入力された文字と同じ文字を生成して上記文字列保持手段に格納する文字生成手段と、
かな漢字変換を指示する変換指示手段と、
この変換指示手段によってかな漢字変換が指示されたときに、上記文字列保持手段に保持された文字列の中で同一文字が連続する部分を削除し、その削除後の文字列を変換対象としてかな漢字変換する変換手段と、
この変換手段によって得られた文字列の中に上記削除された連続文字列を加えて変換結果として出力する変換結果出力手段と
を具備したことを特徴とする情報端末装置。
【請求項６】  連続文字列を考慮したかな漢字変換を行うモードを設定するモード設定手段を有し、
上記変換手段は、このモード設定手段によって上記モードが設定されている場合にのみ、入力文字列の中から同一文字が連続する部分を削除したかな漢字変換を実行することを特徴とする請求項３乃至請求項５のいずれかに記載の情報端末装置。
【請求項７】  文字を入力するための入力手段と、
この入力手段によって入力された文字を順次保持する文字列保持手段と、
各単語の読みと見出しに同一文字が連続する部分を示す連続文字位置情報を有する変換用辞書と、
かな漢字変換を指示する変換指示手段と、
この変換指示手段によってかな漢字変換が指示されたときに、上記変換用辞書に登録された上記連続文字位置情報に基づいて同一文字を派生させた辞書単語と上記文字列保持手段に保持された文字列とを比較してかな漢字変換する変換手段と、
この変換手段によって得られた文字列を変換結果として出力する変換結果出力手段と
を具備したことを特徴とする情報端末装置。
【請求項８】  入力された文字列から同一文字が連続する部分を検出して単語の読みと連続文字位置情報を作成すると共に、確定された文字列から同一文字が連続する部分を検出して単語の見出しと連続文字位置情報を作成し、これらの情報を新語情報として上記変換用辞書に登録する辞書登録手段を具備したことを特徴とする請求項７記載の情報端末装置。
【請求項９】  各キー毎に複数の異なる文字が割り当てられた入力手段と、
各キーに対する各文字の出力順位を記憶したキーテーブルと、
上記入力手段によって入力されたキーに割り付けられた各文字を当該キーの入力毎に上記キーテーブルを参照して所定の順で出力する出力手段と、
この出力手段によって最終的に出力された文字を保持する文字保持手段と、
前回と同じキーが続けて入力されたときに、上記文字保持手段によって保持された文字を優先して出力するように上記出力手段を制御する出力制御手段と
を具備したことを特徴とする情報端末装置。
【請求項１０】  各キー毎に複数の異なる文字が割り当てられた入力手段と、
各キーに対する各文字の出力順位および前回のキー入力時に最終的に出力された文字を記憶したキーテーブルと、
上記入力手段によって入力されたキーに割り付けられた各文字を当該キーの入力毎に上記キーテーブルを参照して所定の順で出力するものであり、上記キーテーブルに前回のキー入力時に最終的に出力された文字が記憶されている場合に当該文字を優先して出力する出力手段と
を具備したことを特徴とする情報端末装置。
【請求項１１】  文字を入力する入力手段と、
この入力手段による文字の入力後に繰返し文字を指示する指示手段と、
この指示手段による繰返し文字の指示があったときに、その直前に入力された文字の母音を拗音化した文字を所定数生成する文字生成手段と、
この文字生成手段によって生成された文字列を上記直前に入力された文字に続けて出力する出力手段と
を具備したことを特徴とする情報端末装置。
【請求項１２】  文字を入力する入力手段と、
この入力手段による文字の入力後に繰返し文字を指示する指示手段と、
この指示手段によって繰返し文字の指示があったときに、その直前に入力された文字の母音を拗音化した文字または促音文字または同一文字を所定数生成する文字生成手段と、
この文字生成手段によって生成された文字列を上記直前に入力された文字に続けて出力する出力手段と
を具備したことを特徴とする情報端末装置。
【手続補正３】
【補正対象書類名】明細書
【補正対象項目名】０００１
【補正方法】変更
【補正の内容】
【０００１】
【発明の属する技術分野】
本発明は、ワードプロセッサ、パーソナルコンピュータ、携帯電話機等の文字を入力して各種の処理を行う情報端末装置に係り、特に連続文字を入力する場合に用いて好適な情報端末装置に関する。
【手続補正４】
【補正対象書類名】明細書
【補正対象項目名】０００７
【補正方法】変更
【補正の内容】
【０００７】
本発明は上記のような点に鑑みなされたもので、面倒な操作を必要とせずに、入力中の状態で同じ文字を連続入力することができ、また、連続文字を有する文字列をかな漢字変換することのできる情報端末装置を提供することを目的とする。
【手続補正書】
【提出日】平成18年3月9日(2006.3.9)
【手続補正１】
【補正対象書類名】明細書
【補正対象項目名】特許請求の範囲
【補正方法】変更
【補正の内容】
【特許請求の範囲】
【請求項１】
表示画面における表示動作を指示するための操作を入力するマウス入力装置であって、
マウスポインタの移動を制御するために２次元方向の変位を検出する第１の検出手段と、
第１の機能モードまたは第２の機能モードにおける表示動作を制御するために２次元方向の変位を検出する第２の検出手段と、
上記第２の検出手段の上記第１の機能モードおよび上記第２の機能モードを切り替えるための切替信号を出力するモード切替手段と、
を備えたことを特徴とするマウス入力装置。
【請求項２】  上記第１の機能モードは、表示画面のスクロール動作を行うモードであることを特徴とする請求項１に記載のマウス入力装置。
【請求項３】  上記第２の機能モードは、上記第１の検出手段と共同して又は独立して上記マウスポインタの移動を制御するモードであることを特徴とする請求項２に記載のマウス入力装置。
【請求項４】  複数のクリックボタンと、
底面に回転自在に組み込まれた第１のトラックボールと、把持した状態で指先による回転操作を可能とする位置に組み込まれた第２のトラックボールとを備え、
上記第２のトラックボールは、モニタの表示画面を特定の方向又は自由な方向にスクロールさせる２種類の画面スクロール機能と、上記表示画面上において上記第１のトラックボールと共同して又は独立してマウスポインタ等を移動させる２種類のマウスポインタ移動機能とに切替えて用いられることを特徴とするマウス入力装置。
【請求項５】  上記第２のトラックボールは、上記画面スクロール機能の設定時に、上記表示画面を、その移動量のｘ方向成分とｙ方向成分との大きい方向成分の向きでかつ回転量の長さをもつベクトルの入力と等価な画面スクロールを行うことを特徴とする請求項４に記載のマウス入力装置。
【請求項６】  上記第１のトラックボールと上記第２のトラックボールとは、上記共同動作のマウスポインタ移動機能の設定時に、それぞれの移動方向と回転量とを加算するベクトル処理が行われて上記表示画面上において上記マウスポインタ等の位置設定を行うことを特徴とする請求項５に記載のマウス入力装置。
【手続補正２】
【補正対象書類名】明細書
【補正対象項目名】０００６
【補正方法】変更
【補正の内容】
【０００６】
【発明が解決しようとする課題】
マウス入力装置は、比較的小型で操作性もよく、位置情報入力装置として汎用されている。マウス入力装置には、上述したように２個のトラックボールを備えたものが提供されているが、いずれもマウスポインタ等を移動させる機能として作用するものであって画面スクロール機能の面で上述した操作性が悪いといった問題があった。一方、かかるマウス入力装置においては、全体を移動操作してのマウスポインタ等の移動とともに、例えばノート型パーソナルコンピュータ等を携帯時に使用するといったように全体の移動操作が困難な使用状態においても微調整用トラックボールを操作してマウスポインタ等の移動を可能とするといった特徴もある。
【手続補正３】
【補正対象書類名】明細書
【補正対象項目名】００１０
【補正方法】変更
【補正の内容】
【００１０】
【課題を解決するための手段】上述した目的を達成する本発明は、表示画面における表示動作を指示するための操作を入力するマウス入力装置であって、マウスポインタの移動を制御するために２次元方向の変位を検出する第１の検出手段と、第１の機能モードまたは第２の機能モードにおける表示動作を制御するために２次元方向の変位を検出する第２の検出手段と、上記第２の検出手段の上記第１の機能モードおよび上記第２の機能モードを切り替えるための切替信号を出力するモード切替手段と、を備えたことを特徴とする。
また、本発明に係るマウス入力装置は、複数のクリックボタンと、底面に回転自在に組み込まれた第１のトラックボールと、把持した状態で指先による回転操作を可能とする位置に組み込まれた第２のトラックボールとを備えてなる。マウス入力装置は、第２のトラックボールが、モニタの表示画面を特定の方向又は自由な方向にスクロールさせる２種類の画面スクロール機能と、表示画面上において第１のトラックボールと共同して又は独立してマウスポインタ等を移動させる２種類のマウスポインタ移動機能とに切替えて用いられる。
【手続補正書】
【提出日】平成18年3月10日(2006.3.10)
【手続補正１】
【補正対象書類名】明細書
【補正対象項目名】請求項３
【補正方法】変更
【補正の内容】
【請求項３】  前記パルス生成制御手段は、所定の記録条件に応じて、前記第２、第３の各パルスのパルス期間長を、０Ｔ〜３Ｔの範囲で可変設定することを特徴とする請求項１に記載の記録装置。
【手続補正２】
【補正対象書類名】明細書
【補正対象項目名】００１０
【補正方法】変更
【補正の内容】
【００１０】
また、パルス生成制御手段は、所定の記録条件、例えば記録媒体の材質、メーカー、線速度、光学系特性などに応じて、第２、第３の各パルスのレベルを可変設定する。
またパルス生成制御手段は、所定の記録条件に応じて、第２、第３の各パルスのパルス期間長を、０Ｔ〜３Ｔの範囲で可変設定する。
またパルス生成制御手段は、直前に形成されるピット／ランド長に応じて、第１、第２、第３のパルスの全部又は一部について、そのパルス期間長を可変設定する。
【手続補正３】
【補正対象書類名】明細書
【補正対象項目名】００４１
【補正方法】変更
【補正の内容】
【００４１】
そして、各パターンの使い分け、特にＬ１、Ｌ２期間の設定は、ピット／ランド長検出回路３１が検出した直前及び直後のピット長、ランド長に応じて行われる。例えば、直前のランド区間が長い場合はＬ１は長く、一方、直前のランド区間が短い場合はＬ１は短くされる。
即ちピット長／ランド長による熱蓄積量の変動に応じて、レーザドライブパターンが制御されることになる。
このＬ１、Ｌ２の期間長は０Ｔ〜３Ｔの範囲で可変とされる。
【手続補正４】
【補正対象書類名】明細書
【補正対象項目名】００４３
【補正方法】変更
【補正の内容】
【００４３】
さらに実際には、ディスクの材質（色素膜の材質）、製造メーカー、記録線速度、記録速度、ピックアップ１の光学系の特性などによっても、パルス幅やパルスレベルを調整する。
特に色素膜の材質の違い等によって熱反応の違いがあるため、記録動作の際に装填されているディスクの種別や製造メーカーを判別して、パルス幅やパルスレベルを調整することは有効である。また記録線速度、記録速度など、記録動作の実行環境についても、例えばシステムコントローラ１０が記録信号生成部２１に伝えることで、パルス幅やパルスレベルを調整するができ、適切な記録動作に有効となる。
【手続補正書】
【提出日】平成18年7月4日(2006.7.4)
【手続補正１】
【補正対象書類名】明細書
【補正対象項目名】請求項１
【補正方法】変更
【補正の内容】
【請求項１】
純水洗浄で除去しきれないイオン性不純物を含有する非水系液層をイオン性物質を添加した水で洗浄すること
を特徴とするイオン性不純物の除去方法。
【手続補正２】
【補正対象書類名】明細書
【補正対象項目名】０００９
【補正方法】変更
【補正の内容】
【０００９】
具体的には、有機系イオン性物質として、イオン交換樹脂、カルボキシル基及び有機系オニウムの構造を有する酸、塩基及び中性塩を用いることができ、無機系イオン性物質として、塩酸、硝酸、硫酸などの無機酸、水酸化ナトリウム、水酸化カリウム、炭酸ナトリウム、炭酸カリウム、炭酸水素ナトリウムなどの無機塩基及び無機中性塩を用いることができる。
【手続補正３】
【補正対象書類名】明細書
【補正対象項目名】００１３
【補正方法】変更
【補正の内容】
【００１３】
前記したところから、本発明に依るイオン性不純物の除去方法に於いては、
（１）
純水洗浄で除去しきれないイオン性不純物を含有する非水系液層をイオン性物質を添加した水で洗浄することを特徴とするか、又は、
【手続補正４】
【補正対象書類名】明細書
【補正対象項目名】００３５
【補正方法】変更
【補正の内容】
【００３５】
【発明の効果】                                                                本発明に依るイオン性不純物の除去方法では、純水洗浄で除去しきれないイオン性不純物を含有する非水系液層をイオン性物質を添加した水で洗浄する。
【手続補正書】
【提出日】平成18年8月31日(2006.8.31)
【手続補正１】
【補正対象書類名】明細書
【補正対象項目名】特許請求の範囲
【補正方法】変更
【補正の内容】
【特許請求の範囲】
【請求項１】  非磁性基材上に積層した強磁性金属薄膜上に、炭化水素を含有する反応ガスからプラズマＣＶＤ法により保護膜を形成する磁気記録媒体の製造方法であって、
前記プラズマＣＶＤ法で前記保護膜を形成する際において、前記反応ガスに正の直流電圧と負の直流電圧とを交互に印加することを特徴とする、磁気記録媒体の製造方法。
【請求項２】  前記正の直流電圧と前記負の直流電圧との印加周期が、周波数換算で１ｋＨｚ以上１００ｋＨｚ以下である、請求項１に記載の磁気記録媒体の製造方法。
【請求項３】  前記正の直流電圧の最大正電圧印加時間である発振時間が、前記負の直流電圧の最大負電圧印加時間である発振時間の２倍以上である、請求項１または２いずれかに記載の磁気記録媒体の製造方法。
【請求項４】  前記負の直流電圧の最大負電圧から前記正の直流電圧の最大正電圧に到達する立ち上がり時間が、前記負の直流電圧の発振時間の１／２以下である、請求項１から３までのいずれかに記載の磁気記録媒体の製造方法。
【請求項５】  前記正の直流電圧および前記負の直流電圧のうち、少なくとも正の直流電圧に、周波数が１ＭＨｚ以上で、印加する前記正の直流電圧以下のパルス電圧を少なくとも１回以上重畳する、請求項１から４までのいずれかに記載の磁気記録媒体の製造方法。
【請求項６】  非磁性基材上に強磁性金属薄膜を積層してなる磁気記録媒体基材を繰り出す繰り出しローラと、
前記繰り出された磁気記録媒体基材をその周面上で搬送するメインローラと、
前記メインローラの周面上で搬送される磁気記録媒体基材の強磁性金属薄膜上に保護膜を形成するプラズマＣＶＤ装置本体と、
前記保護膜を形成された磁気記録媒体を巻き取る巻き取りローラと
を備えた磁気記録媒体の製造装置であって、
前記プラズマＣＶＤ装置本体は、
前記メインローラの円周面の少なくとも一部に沿って備えられた放電管と、
前記放電管に炭化水素を含有する反応ガスを供給する原料ガス導入口と、
前記放電管内に備えられ、前記反応ガスに電圧を印加するプラズマ発生用電極と、
前記プラズマ発生用電極に接続された正電圧発振用直流電源と、
前記プラズマ発生用電極に接続された負電圧発振用直流電源と、
前記プラズマ発生用電極に供給される電圧を、前記正電圧発振用直流電源および負電圧発振用直流電源の間で交互に切り替える正負電圧切替部と
を備えていることを特徴とする、磁気記録媒体の製造装置。
【請求項７】  前記正負電圧切替部にパルス発振部が接続されると共に、前記正負電圧切替部が正電圧発振用直流電源または負電圧発振用直流電源から供給される電圧に、前記パルス発振部から発振されたパルスを重畳する機能を有する、請求項７に記載の磁気記録媒体の製造装置。
【手続補正２】
【補正対象書類名】明細書
【補正対象項目名】０００７
【補正方法】変更
【補正の内容】
【０００７】
【課題を解決するための手段】
上記課題を解決する本発明に係る磁気記録媒体の製造方法は、非磁性基材上に積層した強磁性金属薄膜上に、炭化水素を含有する反応ガスからプラズマＣＶＤ法により保護膜を形成する磁気記録媒体の製造方法であって、プラズマＣＶＤ法で前記保護膜を形成する際において反応ガスに正の直流電圧と負の直流電圧とを交互に印加することを特徴とする。
【手続補正３】
【補正対象書類名】明細書
【補正対象項目名】０００８
【補正方法】変更
【補正の内容】
【０００８】
また、上記課題を解決する本発明に係る磁気記録媒体の製造装置は、非磁性基材上に強磁性金属薄膜を積層してなる磁気記録媒体基材を繰り出す繰り出しローラと、繰り出された磁気記録媒体基材をその周面上で搬送するメインローラと、メインローラの周面上で搬送される磁気記録媒体基材の強磁性金属薄膜上に保護
膜を形成するプラズマＣＶＤ装置本体と、保護膜を形成された磁気記録媒体を巻き取る巻き取りローラとを備え、プラズマＣＶＤ装置本体は、メインローラの円周面の少なくとも一部に沿って備えられた放電管と、放電管に炭化水素を含有する反応ガスを供給する原料ガス導入口と、放電管内に備えられ、反応ガスに電圧を印加するプラズマ発生用電極と、プラズマ発生用電極に接続された正電圧発振用直流電源と、プラズマ発生用電極に接続された負電圧発振用直流電源と、プラズマ発生用電極に供給される電圧を、正電圧発振用直流電源および負電圧発振用直流電源の間で交互に切り替える正負電圧切替部とを備えていることを特徴とする。
【手続補正書】
【提出日】平成18年8月14日(2006.8.14)
【手続補正１】
【補正対象書類名】明細書
【補正対象項目名】特許請求の範囲
【補正方法】変更
【補正の内容】
【特許請求の範囲】
【請求項１】  複数のパーツオブジェクトの集合である集合オブジェクトの画像を生成する画像生成システムであって、
所与のイベントの発生に基づき前記集合オブジェクトに属するパーツオブジェクトを複数のグループに分割する手段と、
各グループに属するパーツオブジェクトの中から所与のルールにしたがって親パーツオブジェクトを決定する手段と、
各パーツオブジェクトの動作内容を演算する動作内容演算手段と、
演算された動作内容に基づきパーツオブジェクトの画像を生成する手段とを含み、
前記動作内容演算手段が、
各グループの親以外のパーツオブジェクトの動作内容を親パーツオブジェクトの動作内容に基づき演算することを特徴とする画像生成システム。
【請求項２】  請求項１において、
集合オブジェクトを構成するパーツオブジェクト間に設定された相関関係及び親を決定する際の優先順位の少なくとも一方に基づいてグループの親パーツオブジェクトを決定することを特徴とする画像生成システム。
【請求項３】  複数のパーツオブジェクトの集合である集合オブジェクトの画像を生成する画像生成システムであって、
各パーツオブジェクト間に設定された相関関係を記憶する手段と、
各パーツオブジェクト間に設定された前記相関関係及び各パーツオブジェクトの少なくともひとつを、所与のイベントの発生に基づき破壊する手段と、
破壊後の前記相関関係及び各パーツオブジェクトの状況に基づき集合オブジェクトを構成するパーツオブジェクトを複数のグループに分割し、前記相関関係に基づき各グループの親パーツオブジェクトを決定する手段と、
各パーツオブジェクトの動作内容を演算する動作内容演算手段と、
演算された動作内容に基づきパーツオブジェクトの画像を生成する手段とを含み、
前記動作内容演算手段が、
各グループの親以外のパーツオブジェクトの動作内容を親パーツオブジェクトの動作内容に基づき演算することを特徴とする画像生成システム。
【請求項４】  請求項１乃至３のいずれかにおいて、
前記動作内容演算手段が、
各グループの親以外のパーツオブジェクトが親パーツオブジェクトと動作をともにするように、前記親以外のパーツオブジェクトの動作内容を演算することを特徴とする画像生成システム。
【請求項５】  請求項１乃至４のいずれかにおいて、
分割によって新たに発生した親パーツオブジェクトの動作内容を、分割以前に属していたグループの親パーツオブジェクトとは異なる動作内容とすることを特徴とする画像生成システム。
【請求項６】  請求項１乃至５のいずれかにおいて、
前記集合オブジェクトが受けた衝撃を検出する手段をさらに含み、
衝撃が検出された場合に前記所与のイベントを発生させることを特徴とする画像生成システム。
【請求項７】  請求項１乃至６のいずれかにおいて、
前記集合オブジェクトに所与のイベントが発生する以前は、単一のオブジェクトとして構成して画像生成を行い、
所与のイベントが発生した後は、 複数の要素オブジェクトの集合オブジェクトとして構成して画像生成を行うことを特徴とする画像生成システム。
【請求項８】  複数のパーツオブジェクトの集合である集合オブジェクトの画像を生成するためのプログラムが記憶されたコンピュータが読み取り可能な情報記憶媒体であって、
所与のイベントの発生に基づき前記集合オブジェクトに属するパーツオブジェクトを複数のグループに分割する手段と、
各グループに属するパーツオブジェクトの中から所与のルールにしたがって親パーツオブジェクトを決定する手段と、
各パーツオブジェクトの動作内容を演算する動作内容演算手段と、
演算された動作内容に基づきパーツオブジェクトの画像を生成する手段としてコンピュータを機能させるプログラムを含み、
前記動作内容演算手段が、
各グループの親以外のパーツオブジェクトの動作内容を親パーツオブジェクトの動作内容に基づき演算することを特徴とする情報記憶媒体。
【請求項９】  請求項８において、
集合オブジェクトを構成するパーツオブジェクト間に設定された相関関係及び親を決定する際の優先順位の少なくとも一方に基づいてグループの親パーツオブジェクトを決定するために必要なプログラムを含むことを特徴とする情報記憶媒体。
【請求項１０】  複数のパーツオブジェクトの集合である集合オブジェクトの画像を生成するためのプログラムが記憶されたコンピュータが読み取り可能な情報記憶媒体であって、
各パーツオブジェクト間に設定された相関関係を記憶する手段と、
各パーツオブジェクト間に設定された前記相関関係及び各パーツオブジェクトの少なくともひとつを、所与のイベントの発生に基づき破壊する手段と、
破壊後の前記相関関係及び各パーツオブジェクトの状況に基づき集合オブジェクトを構成するパーツオブジェクトを複数のグループに分割し、前記相関関係に基づき各グループの親パーツオブジェクトを決定する手段と、
各パーツオブジェクトの動作内容を演算する動作内容演算手段と、
演算された動作内容に基づきパーツオブジェクトの画像を生成する手段としてコンピュータを機能させるプログラムを含み、
前記動作内容演算手段が、
各グループの親以外のパーツオブジェクトの動作内容を親パーツオブジェクトの動作内容に基づき演算することを特徴とする情報記憶媒体。
【請求項１１】  請求項８乃至１０のいずれかにおいて、
前記動作内容演算手段が、
各グループの親以外のパーツオブジェクトが親パーツオブジェクトと動作をともにするように、前記親以外のパーツオブジェクトの動作内容を演算することを特徴とする情報記憶媒体。
【請求項１２】  請求項８乃至１１のいずれかにおいて、
分割によって新たに発生した親パーツオブジェクトの動作内容を、分割以前に属していたグループの親パーツオブジェクトとは異なる動作内容とするために必要なプログラムを含むことを特徴とする情報記憶媒体。
【請求項１３】  請求項８乃至１２のいずれかにおいて、
前記集合オブジェクトが受けた衝撃を検出する手段としてコンピュータを機能させるプログラムを含み、
衝撃が検出された場合に前記所与のイベントを発生させることを特徴とする情報記憶媒体。
【請求項１４】  請求項８乃至１３のいずれかにおいて、
前記集合オブジェクトに所与のイベントが発生する以前は、単一のオブジェクトとして構成して画像生成を行い、
所与のイベントが発生した後は、 複数の要素オブジェクトの集合オブジェクトとして構成して画像生成を行うために必要なプログラムを含むことを特徴とする情報記憶媒体。